(57)【要約】【課題】ユーザが気づかないうちに表示部に大きな圧力が加わることで表示部が故障する可能性を低減する。【解決手段】本発明の情報処理装置は、表示部と、ユーザへの通知を行う通知部と、操作入力を検知する入力部と、前記表示部の表示面に加わる圧力を検知する圧力検知部と、前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせる制御部と、を有する。【選択図】図１
2014049011.tif 000002
【特許請求の範囲】
【請求項１】
表示部と、
ユーザへの通知を行う通知部と、
操作入力を検知する入力部と、
前記表示部の表示面に加わる圧力を検知する圧力検知部と、
前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせる制御部と、を有することを特徴とする情報処理装置。
【請求項２】
請求項１記載の情報処理装置において、
前記入力部は、前記表示面に重ね合わせて配置されたタッチセンサであり、
前記制御部は、前記圧力検知部が検知した検知圧力が第１の閾値以上であり、かつ、前記第１の閾値よりも小さい第２の閾値未満である場合には、前記入力部を介した操作入力を受け付け、前記検知圧力が前記第２の閾値以上である場合には、前記通知部に通知を行わせることを特徴とする情報処理装置。
【請求項３】
請求項１記載の情報処理装置において、
前記入力部は、キーボタンであることを特徴とする情報処理装置。
【請求項４】
請求項１から３のいずれか１項に記載の情報処理装置において、
前記情報処理装置の筐体に固定されるとともに、前記表示面を覆う第１の保護部をさらに有することを特徴とする情報処理装置。
【請求項５】
請求項１から４のいずれか１項に記載の情報処理装置において、
前記情報処理装置の筐体内に設けられ、前記筐体に固定されるとともに、前記表示部を支持する第２の保護部をさらに有することを特徴とする情報処理装置。
【請求項６】
請求項１から５のいずれか１項に記載の情報処理装置において、
前記制御部は、前記情報処理装置の動作状態が、通常動作状態から前記通常動作状態よりも消費電力を抑えた省電力状態に移行すると、前記圧力検知部に前記表示面に加わる圧力を検知させることを特徴とする情報処理装置。
【請求項７】
請求項１から５のいずれか１項に記載の情報処理装置において、
前記閾値より小さい所定値以上の圧力が前記表示面に加わることでオンとなり、オンとなった旨を示す割り込み信号を前記制御部に出力するスイッチをさらに有し、
前記制御部は、前記スイッチから前記割り込み信号が入力されると、前記圧力検知部に前記表示面に加わる圧力を検知させることを特徴とする情報処理装置。
【請求項８】
表示部と、操作入力を検知する入力部と、を有する情報処理装置の制御方法であって、
圧力検知部が、前記表示部の表示面に加わる圧力を検知し、
制御部が、前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせることを特徴とする情報処理装置の制御方法。
【発明の詳細な説明】
【技術分野】
【０００１】
本発明は、表示部を備える情報処理装置およびその制御方法に関する。
【背景技術】
【０００２】
携帯電話、スマートフォン、タブレット型コンピュータなどの情報処理装置の多くには、表示部が備えられている。このような情報処理装置においては、視認性の向上などのために、表示部の大画面化が進展しており、装置サイズに対する表示部のサイズが大きくなっている。また、近年では、表示部とタッチセンサとが一体的に形成されたタッチパネルを備えた情報処理装置が増加している。このような情報処理装置においては、ＧＵＩ（Ｇｒａｐｈｉｃａｌ  Ｕｓｅｒ  ｉｎｔｅｒｆａｃｅ）を構成することが容易であり、入力キーを表示部に表示させてタッチパネルを介して操作入力を行うことが可能となる。このような構成とすることにより、キーボタンを削減することができ、キーボタンが削減された分だけ、表示部の大面積化が可能となる。
【０００３】
特許文献１（特開２０１０−１０８４９０号公報）には、透明な圧電シートを表示部に重ね合わせて配置したタッチパネルが開示されている。特許文献１に開示のタッチパネルによれば、タッチパネルへのタッチ入力が行われる際に、表示部の表示面に加わる圧力の検知も可能となる。
【先行技術文献】
【特許文献】
【０００４】
【特許文献１】特開２０１０−１０８４９０号公報
【発明の概要】
【発明が解決しようとする課題】
【０００５】
ユーザが情報処理装置をズボンのポケットに入れたまま腰をかがめたり、情報処理装置が重い荷物の下敷きになったりして、情報処理装置に大きな圧力が加えられる場合がある。このような場合に、情報処理装置の装置サイズに対する表示部のサイズが大きいと、表示部に大きな圧力が加えられる可能性が高くなる。その結果、ユーザが気づかないうちに表示部に大きな圧力が加わり、表示部が故障する可能性が高くなるという問題がある。
【０００６】
本発明の目的は、ユーザが気づかないうちに表示部に大きな圧力が加わることで表示部が故障する可能性を低減することができる情報処理装置およびその制御方法を提供することにある。
【課題を解決するための手段】
【０００７】
上記目的を達成するために本発明の情報処理装置は、
表示部と、
ユーザへの通知を行う通知部と、
操作入力を検知する入力部と、
前記表示部の表示面に加わる圧力を検知する圧力検知部と、
前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせる制御部と、を有する。
【０００８】
上記目的を達成するために本発明の情報処理装置の制御方法は、
表示部と、操作入力を検知する入力部と、を有する情報処理装置の制御方法であって、
圧力検知部が、前記表示部の表示面に加わる圧力を検知し、
制御部が、前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせる。
【発明の効果】
【０００９】
本発明によれば、ユーザが気づかないうちに表示部に大きな圧力が加わることで表示部が故障する可能性を低減することができる。
【図面の簡単な説明】
【００１０】
【図１】本発明の第１の実施形態の情報処理装置の構成を示すブロック図である。
【図２】図１に示す情報処理装置の斜視図である。
【図３】図１に示す情報処理装置の動作の概要を示す図である。
【図４】図１に示す情報処理装置の動作を示すフローチャートである。
【図５】図１に示す情報処理装置の他の動作を示すフローチャートである。
【図６】本発明の第２の実施形態の情報処理装置の内部構成を示す概略断面図である。
【図７】本発明の第３の実施形態の情報処理装置の内部構成を示す概略断面図である。
【図８】図７に示す情報処理装置の内部構成を示す概略断面図である。
【図９】図７に示す情報処理装置の他の内部構成を示す概略断面図である。
【図１０】本発明の第４の実施形態の情報処理装置の内部構成を示す概略断面図である。
【発明を実施するための形態】
【００１１】
以下に、本発明を実施するための形態について図面を参照して説明する。
【００１２】
（第１の実施形態）
図１は、本発明の第１の実施形態の情報処理装置１００の構成を示すブロック図である。なお、図１においては、情報処理装置１００は、携帯電話やスマートフォンなどのような、無線通信が可能な装置であるとする。
【００１３】
図１に示す情報処理装置１００は、無線部１１０と、アンテナ１２０と、スピーカ１３０と、マイク１４０と、メモリ１５０と、表示ユニット１６０と、入力部１７０と、制御部１８０と、を有する。スピーカ１３０は、通知部の一例である。
【００１４】
無線部１１０は、制御部１８０の制御に従い、アンテナ１２０を介して無線通信を行う。
【００１５】
スピーカ１３０は、制御部１８０の制御に従い、入力された音声信号を再生する。
【００１６】
マイク１４０は、周囲の音を集音し、集音した音の音声信号を制御部１８０に出力する。
【００１７】
メモリ１５０は、制御部１８０が実行する種々の制御プログラム、電話帳データ、メールデータ、スケジュールデータなど種々のデータを記憶する。
【００１８】
表示ユニット１６０は、ＬＣＤ（Ｌｉｑｕｉｄ  Ｃｒｙｓｔａｌ  Ｄｉｓｐｌａｙ）１６１と、ＬＣＤバックライト１６２と、圧電シート１６３と、を有する。
【００１９】
ＬＣＤ１６１は、制御部１８０の制御に従い、種々の情報を表示する。ＬＣＤ１６１は、表示部の一例である。
【００２０】
ＬＣＤバックライト１６２は、ＬＣＤ１６１の表示面を照明する光を出力する。ＬＣＤバックライト１６２には、ＬＣＤ１６１の表示面全体に光を均一に拡散する拡散板が設けられており、出力光が拡散板により拡散されて、ＬＣＤ１６１に照射される。
【００２１】
圧電シート１６３は、ＬＣＤ１６１の表示面に加わる圧力を検出する圧力検出部の一例である。圧電シート１６３は、ＬＣＤ１６１の表示面に重ね合わせて配置され、表示面に圧力が加わると、その圧力に応じた電圧信号を制御部１８０に出力する。なお、圧電シート１６３は、透明電極などから構成されており、透光性を有する。本実施形態においては、圧力検出部の一例として圧電シート１６３を用いる例を説明するが、これに限られるものではない。ただし、圧力検出部としては、可変抵抗型であり、表示面に加わる圧力がゼロの場合には電流がほとんど流れず、表示面に圧力が加わると、その圧力に応じて電流が流れるデバイスであることが好ましい。このようなデバイスを圧力検知部として用いることで、圧力検知のための消費電力を低減することができ、また、省電力状態でも所定の閾値以上の圧力が表示面に加わることで、割り込みによる復帰が可能となる。
【００２２】
入力部１７０は、ユーザからの操作入力を検知し、検知した操作内容に応じた信号を制御部１８０に出力する。入力部１７０の具体例としては、キーボタンを有するキー入力回路や、表示部に重ね合わせて配置されたタッチ面への指やスタイラスペンなどの入力手段の接触または近接を検知し、入力手段が接触または近接したタッチ面上の位置に応じた信号を出力するタッチセンサなどがある。入力部１７０がタッチセンサである場合には、表示ユニット１６０にタッチセンサも組み込まれる。
【００２３】
制御部１８０は、入力部１７０を介した操作入力を受け付け、受け付けた操作入力に応じた処理を行う。また、制御部１８０は、圧電シート１６３からの入力に応じて、情報処理装置１００の動作を制御する。
【００２４】
図２は、情報処理装置１００の外観斜視図である。なお、図２においては、情報処理装置１００は、入力部１７０として、複数のキーボタン１７１およびタッチセンサ１７２を有するものとする。上述したように、入力部１７０としてタッチセンサが用いられる場合には、タッチセンサも表示ユニット１６０に組み込まれる。なお、図２においては、表示ユニット１６０内の各構成の位置関係を示すために、情報処理装置１００の筐体外に、各構成を分けて記載している。また、図２においては、スピーカ１３０や制御部１８０などについては記載を省略している。
【００２５】
図２に示すように、ＬＣＤバックライト１６２の上に圧電シート１６３が配置される。また、圧電シート１６３の上にタッチセンサ１７２が配置され、タッチセンサ１７２の上に表示部であるＬＣＤ１６１が配置される。
【００２６】
なお、図２においては、圧電シート１６３は、ＬＣＤ１６１の下側に配置されているが、ＬＣＤ１６１の上側に配置されてもよい。また、表示部としては、ＬＣＤ１６１だけでなく、例えば、有機ＥＬディスプレイ（Ｏｒｇａｎｉｃ  Ｅｌｅｃｔｒｏｌｕｍｉｎｅｓｃｅｎｃｅ  Ｄｉｓｐｌａｙ）を用いてもよい。図２に示すように、ＬＣＤ１６１とＬＣＤバックライト１６２との間に圧電シート１６３が設けられている場合には、圧電シート１６３の透明度によっては、ＬＣＤバックライト１６２の出力光が妨げられてしまい、ＬＣＤ１６１の表示画像の視認性が悪くなることがある。有機ＥＬディスプレイは自発光の表示デバイスであるため、バックライトが不要となり、情報処理装置１００の構成を簡素化することができる。また、表示画像に圧電シートの色や透明度が影響を及ぼすことを防ぐことができる。
【００２７】
次に、情報処理装置１００の動作について説明する。
【００２８】
まず、情報処理装置１００の動作の概要について説明する。
【００２９】
図３に示すように、本などがＬＣＤ１６１の表示面に当たったり、ユーザが情報処理装置１００をズボンのポケットに入れたまま屈んだりすると、表示面に大きな圧力が加わり、表示ユニット１６０（ＬＣＤ１６１）が故障する可能性がある。
【００３０】
そこで、情報処理装置１００においては、圧力検知部である圧電センサ１６３により、ＬＣＤ１６１の表示面に加わる圧力を検知し、検知した圧力（以下、検知圧力と称する）が閾値以上である場合には、スピーカ１３０から警告音を出力するなどの通知処理によりユーザに通知を行う。こうすることで、ユーザが気づかないうちに表示面に大きな圧力が加わり、表示ユニット１６０が故障する可能性を低減することができる。
【００３１】
以下、情報処理装置１００の動作の詳細について、図４に示すフローチャートを参照して説明する。なお、以下では、ＬＣＤ１６１の表示面に加わる圧力に応じて通知処理を行うか否かを判定するための判定閾値がメモリ１５０に記憶されているものとする。
【００３２】
ＬＣＤ１６１の表示面に圧力が加わると、圧電シート１６３は、その圧力に応じた電圧信号を制御部１８０に出力する。
【００３３】
制御部１８０は、電圧信号をＡＤ変換する機能を備えており、圧電シート１６３から出力された電圧信号をＡＤ変換し、デジタル化された電圧値（以下、検知電圧と称する）を読み出す（ステップＳ４１）。
【００３４】
次に、制御部１８０は、検知電圧がメモリ１５０に記憶されている判定閾値より大きいか否かを判定する（ステップＳ４２）。ここで、判定閾値としては、表示ユニット１６０が故障する可能性がある圧力がＬＣＤ１６１の表示面に加わった場合に圧電シート１６３から出力される電圧信号に対応する電圧値が設定される。
【００３５】
なお、本実施形態においては、圧電シート１６３から出力された電圧信号をＡＤ変換して検知電圧を読み出し、検知電圧と判定閾値とを比較する例を用いて説明したが、これに限られるものではない。要は、表示面に加わる圧力が閾値より大きいか否かの判定ができればよいので、例えば、コンパレータなどの比較回路を用いて比較するようにしてもよい。
【００３６】
検知電圧が判定閾値より大きい場合には（ステップＳ４２：Ｙｅｓ）、制御部１８０は、通知処理を行う（ステップＳ４３）。なお、通知処理としては、スピーカ１３０に警告音などを出力させる処理や、図１においては不図示のバイブレータを振動させる処理などがある。通知処理後、制御部１８０は、ステップＳ４１の処理に戻る。
【００３７】
検知電圧が判定閾値より大きい場合には、強い圧力が加わることで表示ユニット１６０が故障する可能性がある。そのため、通知処理を行い、ユーザに警告を発することで、強い圧力が加わり続け、表示ユニット１６０が故障する可能性を低減することができる。また、警告音をスピーカ１３０から出力する場合には、例えば、夜道などで不意に人に襲われそうになった場合に、ＬＣＤ１６１の表示面を一定以上の力で押すことで警告音が出力されるため、防犯アラームとしても利用できる。
【００３８】
検知電圧が判定閾値以下である場合には（ステップＳ４２：Ｎｏ）、制御部１８０は、通知処理を行っているか否かを判定する（ステップＳ４４）。
【００３９】
通知処理を行っていない場合には（ステップＳ４４：Ｎｏ）、制御部１８０は、ステップＳ４１の処理に戻る。
【００４０】
通知処理を行っている場合には（ステップＳ４４：Ｙｅｓ）、検知電圧が判定閾値以下となっていることから、表示面に加わる圧力により表示ユニット１６０が故障する可能性が低いため、制御部１８０は、通知処理を停止した後（ステップＳ４５）、ステップＳ４１の処理に戻る。
【００４１】
このように本実施形態によれば、情報処理装置１００は、圧力検知部である圧電シート１６３によりＬＣＤ１６１の表示面に加わる圧力を検知し、検知圧力が閾値より大きくなると、ユーザへの通知を行う。
【００４２】
そのため、ユーザが気づかないうちに表示部であるＬＣＤ１６１の表示面に強い圧力が加わることで、表示ユニット１６０が故障する可能性を低減することができる。
【００４３】
なお、通常、表示面の中央付近に最も圧力が加わりやすいので、圧力検知部である圧電シート１６３を表示面の中央付近に設け、表示面の中央付近に加わる圧力を検知するように構成されていてもよい。
【００４４】
また、上述したように、本実施形態においては、入力部１７０としてタッチセンサ１７２を用いられている。タッチセンサ１７２により操作入力が検知される場合には、ユーザが意図せずに軽くタッチ面に触れるだけでも、入力が検知され、誤った操作入力が受け付けられてしまうことがある。本実施形態の情報処理装置１００においては、圧力検知部１８０の検出結果も踏まえて、操作入力の受け付けることで、上述したような誤った操作入力が受け付けられる可能性を低減することができる。以下、圧力検知部１８０の検出結果も踏まえて、操作入力の受け付ける場合の情報処理装置１００の動作を、図５を参照して説明する。なお、図５において、図４と同様の処理については同じ符号を付し、説明を省略する。
【００４５】
検知電圧を読み出したのち、制御部１８０は、検知電圧が第１の閾値以上であるか否かを判定する（ステップＳ５１）。ここで、第１の閾値は、ユーザが通常タッチ入力により操作入力を行う際に、表示部に加わる程度の圧力値である。
【００４６】
検知電圧が第１の閾値未満である場合には（ステップＳ５１：Ｎｏ）、タッチ入力により表面に圧力が加えられたのではないと考えられるため、制御部１８０は、タッチセンサ１７２から入力手段が接触または近接した旨を示す信号が出力されたとしても、操作入力は無いものとし（ステップＳ５２）、ステップＳ４１の処理に戻る。
【００４７】
検知電圧が第１の閾値以上である場合には（ステップＳ５１：Ｙｅｓ）、制御部１８０は、検知電圧が第２の閾値以上であるか否かを判定する（ステップＳ５３）。ここで、第２の閾値は、表示部に加えられると、表示部が故障する可能性のある圧力値である。
【００４８】
検知電圧が第２の閾値未満である場合には（ステップＳ５３：Ｎｏ）、制御部１８０は、タッチセンサ１７２からの出力信号に応じた操作入力を受け付ける（ステップＳ５４）。
【００４９】
検知電圧が第２の閾値以上である場合には（ステップＳ５３：Ｙｅｓ）、制御部１８０は、タッチセンサ１７２から信号が出力されても、その出力信号に応じた操作入力を受け付けることなく、通知処理を行う（ステップＳ５５）。
【００５０】
このように、圧力検知部１８０の検出結果も踏まえて、操作入力の受け付けることで、強い圧力が表示部に加えられることで、表示部が故障する可能性を低減するとともに、誤った操作入力が受け付けられる可能性も低減することができる。
【００５１】
（第２の実施形態）
情報処理装置の筐体には、表示部の表示面の大きさに対応した開口部が設けられる。そのため、表示部の大面積化が進展すると、開口部の面積も大きくなる。また、近年では、情報処理装置の軽薄短小化も進展しており、筐体に設けられた開口部の面積が大きくなると、筐体の剛性が確保できず、筐体そのものにねじれやたわみが生じ、その結果、正確に表示面に加わる圧力を検知できないおそれがある。
【００５２】
そこで、本実施形態においては、情報処理装置に、筐体の変形を抑止するための保護部を設ける。以下、本実施形態の情報処理装置の構成について、図６を参照して説明する。なお、図６において、図１と同様の構成ついては同じ符号を付し、説明を省略する。
【００５３】
図６は、本実施形態の情報処理装置２００の内部構成を示す概略断面図である。
【００５４】
図６に示すように、情報処理装置２００の筐体２０１に開口部２０２が設けられている。開口部２０２は、表示ユニット１６０の表示部（図６においては不図示のＬＣＤ１６１）の表示面よりも大きい。
【００５５】
開口部２０２には、透明強化ガラスや透明強化樹脂などにより構成された、第１の保護部としての保護パネル２０３が設けられる。保護パネル２０３は、防塵や防水機能を備える両面テープなどにより、開口部２０２に固定される。保護パネル２０３の下側に、表示ユニット１６０が設けられる。なお、図６においては、表示ユニット１６０と保護パネル２０３とを分けて記載しているが、一体的に構成されていてもよい。具体的は、保護パネル２０３を兼ねた透明強化ガラス面にＬＣＤ１６１を形成し、開口部２０２に固定するようにしてもよい。
【００５６】
筐体２０１内には、筐体２０１に固定されるとともに、表示ユニット１６０を保持するフレーム２０４が設けられている。フレーム２０４の下側には、表示ユニット１６０により種々の表示を行うための回路などが形成された回路基板２０５が形成されている。
【００５７】
さらに、回路基板２０５の下側には、筐体２０１に固定されるとともに、表示ユニット１６０、フレーム２０４、および、回路基板２０５を支持する、第２の保護部としての板金２０６が設けられている。なお、板金２０６は、筐体２０１に設けられた図６においては不図示の突起部と当接して、筐体２０１に固定される。
【００５８】
板金２０６は、表示面より大きな面積である必要はなく、フレーム２０４と合わせて表示ユニット１６０を支持できればよい。ただし、板金２０６の少なくとも一部は、表示ユニット１６０の周囲から突出して付設されるのが望ましい。また、板金２０６は、剛性を損ねるのを防ぐために、開口窓を少なくすることが望ましく、長辺方向の端には折れ曲がりにくいように折り畳み加工するのが望ましい。
【００５９】
保護パネル２０３および板金２０６は、筐体２０１に固定されているため、筐体２０１のねじれやひずみ、あるいは、折れ曲がりなどによる筐体２０１の変形を抑止する。
【００６０】
このように、本実施形態によれば、情報処理装置２００は、情報処理装置２００の筐体２０１の変形を抑止するために保護部（保護パネル２０３および板金２０６）を有する。
【００６１】
そのため、表示部を設けるために、筐体２０１に大きな開口部が設けられた場合にも、筐体２０１の剛性を確保し、筐体２０１に変形が生じる可能性を低減することができる。
【００６２】
なお、本実施形態においては、保護パネル２０３および板金２０６を両方設ける例を用いて説明したが、これに限られるものではなく、筐体２０１、表示ユニット１６０、フレーム２０４などの剛性や、表示ユニット１６０のねじれやひずみに対する耐性、圧力検知方式などによっては、保護パネル２０３および板金２０６のいずれか一方だけを設けるようにしてもよい。
【００６３】
（第３の実施形態）
第１および第２の実施形態の情報処理装置においては、定常的に圧電シート１６３などの圧力検知部により表示部の表示面に加わる圧力が検知されていた。そのため、圧力検知部を常に駆動させておく必要があり、消費電力の増加を招くおそれがあった。
【００６４】
そこで、本実施形態においては、圧力検知のための消費電力を低減しつつ、表示部に強い圧力が加わった場合には、ユーザに通知を行うようにする。以下、本実施形態の情報処理装置の構成および動作について説明する。
【００６５】
図７は、本実施形態の情報処理装置３００の構成を示すブロック図である。また、図８は、情報処理装置３００の内部構成を示す概略断面図である。なお、図７および図８においては、図１および図６と同様の構成については同じ符号を付し、説明を省略する。
【００６６】
情報処理装置３００は、第２の実施形態の情報処理装置と比較して、スイッチ３１０を追加した点が異なる。
【００６７】
スイッチ３１０は、図８に示すように、筐体２０１と保護パネル２０３との間に設けられ、保護パネル２０３に所定値以上の圧力が加わると、構造変形によりオンとなる素子である。なお、スイッチ３１０の具体例としては、オフの場合には抵抗値が大きく、オンの場合には抵抗値が小さくなる可変抵抗などがある。スイッチ３１０は、制御部１８０などが給電される主電源（不図示）とは異なる副電源（不図示）から給電され、オンとなると通電により割り込み信号を生成し、制御部１８０に出力する。
【００６８】
なお、図８においては、スイッチ３１０が２つ設けられている例を示しているが、スイッチ３１０の数は１あるいは３以上であってもよい。また、スイッチ３１０が構造変形により動作できるように、保護パネル２０３と表示ユニット１６０との間には僅かに隙間が設けられるが、表示ユニット１６０やフレーム２０４の構造による垂直方向の変形や、フレーム２０４と回路基板２０５との間、あるいは、回路基板２０５と板金２０６との間の隙間によって、スイッチ３１０が構造変形により動作できる場合には、保護パネル２０３と表示ユニット１６０との間に隙間を設ける必要が無い。
【００６９】
また、図８においては、スイッチ３１０が設けられた筐体２０１の下側をフレーム２０４により支持する構成としているが、筐体２０１から延伸したリブにより回路基板２０５や板金２０６と当接するような構成としてもよい。
【００７０】
次に、情報処理装置３００の動作について説明する。
【００７１】
情報処理装置の中には、所定時間以上、操作入力が無い場合などに、通常動作状態から、主電源をオフとし、通常動作状態よりも消費電力を抑えた省電力状態に移行する機能を備えるものがある。省電力状態に移行すると、通常、圧力検知部への電源供給も停止され、表示部に加わる圧力も検知されなくなる。
【００７２】
省電力状態に移行するということは、ユーザが情報処理装置を使用しておらず、鞄の中やズボンのポケットなどに情報処理装置を入れている状態である可能性が高い。このような状態では、ユーザが気づかないうちに、表示部の表示面に強い圧力が加わり、故障する可能性が高くなる。一方、ユーザが情報処理装置を使用している状態では、一般に、表示面に強い圧力が加わることは少ない。そのため、省電力状態に移行している間は圧力を検知し、通常動作状態では圧力を検知しないようにすれば、消費電力を削減しつつ、表示ユニット１６０を故障させるような強い圧力が表示面に加えられた場合には、通知処理を行うことができる。
【００７３】
以下では、情報処理装置３００は省電力状態に移行している状態であるとする。この状態で、保護パネル２０３に所定値以上の圧力が加わったとする。保護パネル２０３に所定値以上の圧力が加わることで、スイッチ３１０はオンとなる。なお、所定値の圧力とは、この圧力が保護パネル２０３に加わることで表示面に圧力が加えられた場合にも、通知処理を行うとは判定されない圧力である。
【００７４】
上述したように、スイッチ３１０は、制御部１８０などに給電する主電源とは異なる副電源から給電されている。そのため、省電力状態であっても、所定値以上の圧力が加わりスイッチ３１０がオンとなると、スイッチ３１０は、副電源からの給電により通電して割り込み信号を生成し、制御部１８０に出力する。
【００７５】
制御部１８０は、割り込み信号が入力されると、省電力状態から通常動作状態に復帰し、圧力検知部に圧力を検知させ、図４に示した処理を行う。
【００７６】
保護パネル２０３に加わる圧力が所定値以下となると、スイッチ３１０はオフとなる。スイッチ３１０がオフとなることで、割り込み信号の制御部１８０への入力がなくなる。制御部１８０は、割り込み信号の入力がなくなると、圧力検知部に圧力の検知を終了させる。
【００７７】
このように本実施形態によれば、情報処理装置３００は、通知処理を行うと判定される圧力より小さく、かつ、所定値以上の圧力が表示部の表示面に加わることでオンとなるスイッチ３１０を有し、スイッチ３１０がオンとなると、表示部の表示面に加わる圧力の検知を行い、検知圧力に応じて通知処理を行うか否かを判定する。
【００７８】
そのため、定常的に表示部の表示面に加わる圧力の検知が不要となるため、圧力検知のための消費電力の増加を抑制することができる。
【００７９】
なお、本実施形態においては、筐体２０２と保護パネル２０３との間にスイッチ３１０を設ける例を用いて説明したが、これに限られるものではない。例えば、図９に示すように、筐体２０１とフレーム２０４との間、フレーム２０４と回路基板２０５との間、表示ユニット１６０直下の回路基板２０５の裏面と板金２０６との間などにスイッチ３１０を設けてもよい。要は、表示部の表示面に所定値以上の圧力が加わった場合に、スイッチ３１０がオンとなる位置に設けられていればよい。
【００８０】
また、スイッチ３１０自体に圧電素子を組み込み、圧電シート１６３の代わりに、スイッチ３１０を圧力検知部として用いてもよい。
【００８１】
また、スイッチ３１０の代わりに、表示ユニット１６０に感圧タッチセンサを組み込み、その出力に応じて、圧力検知部に表示部に加わる圧力を検知させるようにしてもよい。感圧タッチセンサは、可変抵抗式であり、圧力が加わっていない場合は抵抗値が高く、圧力が加わると抵抗値が下がる。そのため、感圧タッチセンサの出力端を、固定抵抗を介して接地して電圧を測定することで、表示面に加わる圧力を検知し、その圧力が所定値以上であれば、割り込み信号を出力するようにすればよい。
【００８２】
また、本実施形態においては、省電力状態から通常動作状態への復帰を例として説明したが、これに限られるものではない。例えば、アプリケーションの選択や実行待ちの状態である待受状態において、スイッチ３１０がオンとなると、通常動作状態に復帰するようにしてもよい。実行するアプリケーションによっては、表示面に加わる圧力が操作入力の一部として用いられる場合がある。この場合、制御部１８０は、そのアプリケーションの実行中は、圧力検知部による検知圧力を、操作入力の一部として処理し、アプリケーションの実行中でなければ、ユーザへの通知処理を行うか否かを判定するために用いる。
【００８３】
（第４の実施形態）
図１０は、本発明の第４の実施形態の情報処理装置４００の内部構成を示す概略断面図である。なお、図１０において、図６と同様の構成については同じ符号を付し、説明を省略する。
【００８４】
本実施形態の情報処理装置４００は、第２の実施形態の情報処理装置２００と比較して、圧電シート１６３を削除し、歪みセンサ素子４１０を設けた点が異なる。
【００８５】
歪みセンサ素子４１０は、保護パネル２０３の表示ユニット１６０と対向する面に設けられ、保護パネル２０３に生じる歪みを検出し、検出結果を制御部１８０（不図示）に出力する。
【００８６】
保護パネル２０３に圧力が加えられると、保護パネル２０３の中央付近が沈み込むように歪み、保護パネル２０３の直下にある表示ユニット１６０の表示面にも圧力が加わる。歪みセンサ素子４１０は、保護パネル２０３の歪みの検知を行い、制御部１８０は、歪みセンサ素子４１０により検知された歪みに応じた圧力が表示面に加わったものとして、通知処理を行うか否かの判定を行う。
【００８７】
このように本実施形態によれば、情報処理装置４００は、圧力検知部として保護パネル２０３に生じた歪みを検知する歪みセンサ素子４１０を有し、歪みセンサ素子４１０により検知された保護パネル２０３の歪みに応じた圧力が表示面に加えられたものとして、通知処理を行うか否かを判定する。
【００８８】
上記の実施形態の一部または全部は、以下の付記のようにも記載されうるが、以下には限られない。
【００８９】
（付記１）
表示部と、
ユーザへの通知を行う通知部と、
操作入力を検知する入力部と、
前記表示部の表示面に加わる圧力を検知する圧力検知部と、
前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせる制御部と、を有することを特徴とする情報処理装置。
【００９０】
（付記２）
付記１記載の情報処理装置において、
前記入力部は、前記表示面に重ね合わせて配置されたタッチセンサであり、
前記制御部は、前記圧力検知部が検知した検知圧力が第１の閾値以上であり、かつ、前記第１の閾値よりも小さい第２の閾値未満である場合には、前記入力部を介した操作入力を受け付け、前記検知圧力が前記第２の閾値以上である場合には、前記通知部に通知を行わせることを特徴とする情報処理装置。
【００９１】
（付記３）
付記１記載の情報処理装置において、
前記入力部は、キーボタンであることを特徴とする情報処理装置。
【００９２】
（付記４）
付記１から３のいずれか１つに記載の情報処理装置において、
前記情報処理装置の筐体に固定されるとともに、前記表示面を覆う第１の保護部をさらに有することを特徴とする情報処理装置。
【００９３】
（付記５）
付記１から４のいずれか１つに記載の情報処理装置において、
前記情報処理装置の筐体内に設けられ、前記筐体に固定されるとともに、前記表示部を支持する第２の保護部をさらに有することを特徴とする情報処理装置。
【００９４】
（付記６）
付記１から５のいずれか１つに記載の情報処理装置において、
前記制御部は、前記情報処理装置の動作状態が、通常動作状態から前記通常動作状態よりも消費電力を抑えた省電力状態に移行すると、前記圧力検知部に前記表示面に加わる圧力を検知させることを特徴とする情報処理装置。
【００９５】
（付記７）
付記１から５のいずれか１つに記載の情報処理装置において、
前記閾値より小さい所定値以上の圧力が前記表示面に加わることでオンとなり、オンとなった旨を示す割り込み信号を前記制御部に出力するスイッチをさらに有し、
前記制御部は、前記スイッチから前記割り込み信号が入力されると、前記圧力検知部に前記表示面に加わる圧力を検知させることを特徴とする情報処理装置。
【００９６】
（付記８）
付記７記載の情報処理装置において、
前記スイッチは、オフの場合には抵抗値が大きく、オンの場合には抵抗値が小さくなる可変抵抗であることを特徴とする情報処理装置。
【００９７】
（付記９）
付記１から８のいずれか１つに記載の情報処理装置において、
前記圧力検知部は、前記表示面の中央付近に加わる圧力を検知することを特徴とする情報処理装置。
【００９８】
（付記１０）
付記１から９のいずれか１つに記載の情報処理装置において、
前記圧力検知部は、圧電シートであることを特徴とする情報処理装置。
【００９９】
（付記１１）
付記４記載の情報処理装置において、
前記圧力検知部は、前記第１の保護部に生じる歪みを検出し、該検出した歪みに応じて前記表示面に加わる圧力を検知することを特徴とする情報処理装置。
【０１００】
（付記１２）
表示部と、操作入力を検知する入力部と、を有する情報処理装置の制御方法であって、
圧力検知部が、前記表示部の表示面に加わる圧力を検知し、
制御部が、前記入力部を介した操作入力を受け付けるとともに、前記圧力検知部が検知した検知圧力が予め定められた閾値以上であるか否かを判定し、前記検知圧力が前記閾値以上である場合には、前記通知部に通知を行わせることを特徴とする情報処理装置の制御方法。
【符号の説明】
【０１０１】
１００，２００，３００，４００    情報処理装置
１１０    無線部
１２０    アンテナ
１３０    スピーカ
１４０    マイク
１５０    メモリ
１６０    表示ユニット
１６１    ＬＣＤ
１６２    ＬＣＤバックライト
１６３    圧電シート
１７０    入力部
１７１    キーボタン
１７２    タッチセンサ
１８０    制御部
２０１    筐体
２０２    開口部
２０３    保護パネル
２０４    フレーム
２０５    回路基板
２０６    板金
３１０    スイッチ
４１０    歪みセンサ素子
【図１】
2014049011.tif 000003
【図２】
2014049011.tif 000004
【図３】
2014049011.tif 000005
【図４】
2014049011.tif 000006
【図５】
2014049011.tif 000007
【図６】
2014049011.tif 000008
【図７】
2014049011.tif 000009
【図８】
2014049011.tif 000010
【図９】
2014049011.tif 000011
【図１０】
2014049011.tif 000012
【手続補正書】
【提出日】平成25年3月14日(2013.3.14)
【手続補正１】
【補正対象書類名】特許請求の範囲
【補正対象項目名】請求項２
【補正方法】変更
【補正の内容】
【請求項２】
請求項１記載の情報処理装置において、
前記入力部は、前記表示面に重ね合わせて配置されたタッチセンサであり、
前記制御部は、前記圧力検知部が検知した検知圧力が第１の閾値以上であり、かつ、前記第１の閾値よりも大きい第２の閾値未満である場合には、前記入力部を介した操作入力を受け付け、前記検知圧力が前記第２の閾値以上である場合には、前記通知部に通知を行わせることを特徴とする情報処理装置。